(57)【特許請求の範囲】
【請求項１】
１つの紙幣収容部と１つ又は２つ以上のカード収容部とを有し二つ折りできる二つ折り財布であって、
前記紙幣収容部は、略同一形状の矩形の内側面及び外側面により構成され、
前記内側面と前記外側面とは、側方の一方と上方が開いており、側方の他方と下方が閉じており、
紙幣を前記内側面及び前記外側面の側方の一方と上方から挿入することによって、前記内側面と前記外側面との間に紙幣を収容することができ、
前記カード収容部は、カードを横方向には収容できず縦方向に収容できるサイズであり、
前記内側面の表側に上蓋のある小銭収容部を有し、
前記上蓋の先端と、二つ折りのときの前記紙幣収容部の側方の端部と、が重なりあうよう構成されており、
前記上蓋の先端と前記紙幣収容部の側方の端部とを持って開くと、前記上蓋とともに前記紙幣収容部が、前記内側面の幅方向に開くことを特徴とする、二つ折り財布。
【請求項２】
前記カード収容部は、前記内側面の表側に形成されたスリットから前記内側面の内部にカードを出し入れ可能であることを特徴とする、請求項１に記載の二つ折り財布。
【請求項３】
前記カード収容部は、前記内側面の裏側に設けられることを特徴とする、請求項１又は２に記載の二つ折り財布。
【請求項４】
前記カード収容部は、カードを縦向きに収容できる部分が幅方向に２つ設けられることを特徴とする、請求項１〜３のいずれかに記載の二つ折り財布。
【請求項５】
１つのカード収容部には、カード間に仕切りを設けることなく複数のカード同士を重ねて収容できることを特徴とする、請求項１〜４のいずれかに記載の二つ折り財布。
【発明の詳細な説明】
【技術分野】
【０００１】
本発明は、二つ折り財布にかかり、特に、コンパクトにすることを目的とした二つ折り財布に関する。
【背景技術】
【０００２】
二つ折り財布は、ズボンのポケットに入れるほか、上着の内ポケットに入れたり、バッグに入れたりする。人の好みによって、財布に求められる機能も異なる。近年では財布のサイズを小さくしたり、厚みを薄くしたりといったコンパクトな財布が好まれる傾向にある。従来、上着の内ポケットに入れるために厚みを薄くすることができる二つ折り財布として、実開平５−９３２３８号公報（特許文献１参照）に開示されるものが知られている。同文献に開示される二つ折り財布は、紙幣より一回り大きい長方形の外面版と外面版の約半分の大きさの内面版とを備え、内面版の一端の中央付近に弾力性のある起上版を固着したことを特徴とする。
【０００３】
上記従来の二つ折り財布によれば、弾力性のある起上版は、収納された紙幣を固定する役割と、二つ折り財布を開いたときに、紙幣を起き上がらせる役割を持つ。そして、二つ折り財布の厚みについては、紙幣より一回り大きい長方形の外面版と、外面版の約半分の大きさの内面版から成り立つため、二つ折りしたときに薄く済むという効果がある。
【先行技術文献】
【特許文献】
【０００４】
【特許文献１】実開平５−９３２３８号公報
【発明の概要】
【発明が解決しようとする課題】
【０００５】
しかしながら、上記のような従来の二つ折り財布では、さらなる改良の余地があった。すなわち、上記従来の二つ折り財布では、内面版が外面版の約半分の大きさであるため、財布を二つ折りしたときに薄く済むという効果があるものの、紙幣が露出してしまう。また、サイズについても通常の二つ折り財布とあまり変わらず、横幅は少なくともカードを横向きに収容した状態の２枚分を必要としている。このように、従来の二つ折り財布では、コンパクトにするには限界があった。
【０００６】
そこで本発明は、このような問題に鑑みてなされたものであり、その目的とするところは、従来の二つ折り財布よりもさらにコンパクトにすることの可能な、新規かつ改良された二つ折り財布を提供することにある。
【課題を解決するための手段】
【０００７】
上記課題を解決するために、本発明によれば、１つの紙幣収容部と１つ又は２つ以上のカード収容部とを有し二つ折りできる二つ折り財布であって、前記紙幣収容部は、略同一形状の矩形の内側面及び外側面により構成され、前記内側面と前記外側面とは、側方の一方と上方が開いており、側方の他方と下方が閉じており、紙幣を前記内側面及び前記外側面の側方の一方と上方から挿入することによって、前記内側面と前記外側面との間に紙幣を収容することができ、前記カード収容部は、カードを横方向には収容できず縦方向に収容できるサイズであることを特徴とする、二つ折り財布が提供される。
【０００８】
かかる構成によれば、二つ折り財布のサイズを紙幣のサイズ程度まで小さくすることができる。すなわち、紙幣収容部の側方の一方と上方が開いており、紙幣収容部の側方の一方を縫い付けていない。これにより、紙幣収容部が大きく開くため、紙幣の出し入れがしやすくなる。また、紙幣の出し入れのための余裕が不要になり、最小のサイズにすることができる。例えば、一万円券の横幅１６０ｍｍとほぼ同程度のサイズにすることができる。そして、二つ折りしたときには、一万円券のサイズの半分程度にまで小さくすることができる。このようにして、従来の二つ折り財布よりもさらにコンパクトにすることが可能である。
【０００９】
本発明は以下のようなさまざまな応用が可能である。以下に説明する本発明の応用例は、適宜組み合わせることが可能である。
【００１０】
例えば、前記内側面の表側に上蓋のある小銭収容部を有し、前記上蓋が、前記内側面の幅方向に開くようにしてもよい。本発明の二つ折り財布はコンパクトであるため、小銭収容部の上蓋が内側面の幅方向に開くことにより、あたかも専用の小銭入れのように扱うことができる。
【００１１】
また、前記カード収容部は、前記内側面の裏側に設けられるようにしてもよい。カードを収容したときに、内側面の裏側に隠しておけるため、カードの種類やカードに記載された情報を隠匿することができる。さらに、カードが入っていること自体を隠匿することができる。
【００１２】
また、前記カード収容部は、カードを縦向きに収容できる部分が幅方向に２つ設けられるようにしてもよい。クレジットカード等の短辺は５３．９８ｍｍで、紙幣の長辺は横１６０ｍｍであることから、カード収容部を幅方向に２つ設けても紙幣の横幅より小さい。このため、カードを縦向きに収容できる部分を幅方向に２つ設けることができ、二つ折り財布のサイズを大きくすることなく、多くのカードを収容することができる。
【００１３】
また、１つのカード収容部には、カード間に仕切りを設けることなく複数のカード同士を重ねて収容できるようにしてもよい。カード間の仕切りを設けないことで、収容できるカードの枚数のわりに、二つ折り財布を薄くすることができる。
【発明の効果】
【００１４】
本発明の二つ折り財布によれば、従来の二つ折り財布よりもさらにコンパクトにすることが可能である。本発明のその他の効果については、以下の発明を実施するための形態の項でも説明する。
【図面の簡単な説明】
【００１５】
【図１】第１の実施形態にかかる二つ折り財布１００を示す図である。
【図２】紙幣収容部１１０の構成を示す図である。
【図３】カード収容部１２０の構成を示す図である。
【図４】カード収容部１２０の構成を示す図である。
【図５】小銭収容部１３０の構成を示す図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
以下の実施形態の説明に先立って、紙幣のサイズ及びカードのサイズについて説明する。
【００１８】
＜紙幣のサイズ＞
紙幣は複数種類存在しサイズが変更されることがある。ここでは原稿紙幣のサイズを例に挙げる。以下の実施形態の説明では、主に最も大きい一万円券で説明する。
一万円券：縦（短辺）７６ｍｍ、横（長辺）１６０ｍｍ
五千円券：縦（短辺）７６ｍｍ、横（長辺）１５６ｍｍ
二千円券：縦（短辺）７６ｍｍ、横（長辺）１５４ｍｍ
千円券：縦（短辺）７６ｍｍ、横（長辺）１５０ｍｍ
【００１９】
＜カードのサイズ＞
ＩＳＯ／ＩＥＣ７８１０は身分証明書カードの４つの形状を定めた国際規格であり、ＩＤ−１、ＩＤ−２、ＩＤ−３、ＩＤ−０００から構成される。以下の実施形態では、ＩＤ−１を扱う。ＩＤ−１は、大きさが８５．６０×５３．９８ｍｍであり、銀行のキャッシュカードやクレジットカードなどに採用されている。今日では多くの国で自動車運転免許証のサイズとしても使われている。また、会員証のプラスチックカードなどもこのサイズが多い。クレジットカードのサイズは、縦（短辺）５３．９８ｍｍ、横（長辺）８５．６０ｍｍ、厚み０．７６ｍｍである。なお以下では、カードの向きとして、カードの長辺を横にした向きを横向きと称し、カードの長辺を縦にした向きを縦向きと称する。
【００２０】
（第１の実施形態）
第１の実施形態にかかる二つ折り財布１００について、図１〜図５を参照しながら説明する。図１は、本実施形態にかかる二つ折り財布１００の構成を示す斜視図である。二つ折り財布１００は、図１に示したように、１つの紙幣収容部１１０と、３つのカード収容部１２０（１２０−１〜１２０−３）と、小銭収容部１３０と、を有する。以下、各構成要素について詳細に説明する。なお、以下で説明しない点（例えば、素材など）については、任意のものを採用することができる。
【００２１】
（紙幣収容部１１０）
紙幣収容部１１０について、主に図２を参照しながら説明する。図２は、紙幣収容部１１０の構成を示す図である。紙幣収容部１１０は、図２に示したように、略同一形状の矩形の内側面１１０ａ及び外側面１１０ｂにより構成される。内側面１１０ａと外側面１１０ｂとは、側方の一方（図中符号Ａ）と上方（図中符号Ｂ）が開いており、側方の他方（図中符号Ｃ）と下方（図中符号Ｄ）が閉じている。そして、紙幣を内側面１１０ａ及び外側面１１０ｂの側方の一方と上方から挿入することによって、内側面１１０ａと外側面１１０ｂとの間に紙幣を収容することができる。
【００２２】
紙幣収容部１１０のサイズは、紙幣の大きさとほぼ同じに構成される。紙幣収容部１１０の横方向については、側方の片方（図中符号Ｃ）にのみ、縫合等により結合された部分（縫合部）を設けている。側方の両方に縫合部が必要な一般的な二つ折り財布に比べて、横方向のサイズ（横幅）を小さくすることができる。紙幣収容部１１０の横幅は、例えば、一万円券の横幅１６０ｍｍ＋１０ｍｍ程度にコンパクトにすることができる。
【００２３】
紙幣収容部１１０の縦方向については、下方（図中符号Ｄ）に縫合部が必要であるため、この分だけ紙幣の縦のサイズより少し大きい。この点については、一般的な二つ折り財布と同様である。紙幣収容部１１０の縦幅は、例えば、日本の現行紙幣の中でも最もサイズの大きい一万円券の縦幅７６ｍｍ＋１０ｍｍ程度にコンパクトにすることができる。
【００２４】
かかる紙幣収容部１１０によれば、側方の一方と上方が開いており、縫い付けていない。これにより紙幣収容部１１０が大きく開くため、紙幣の出し入れがしやすくなる。また、紙幣の出し入れのための余裕が不要になり、最小のサイズにすることができる。
【００２５】
（カード収容部１２０）
カード収容部１２０は、カードを収容する部分である。カード収容部１２０について、主に図３及び図４を参照しながら説明する。図３及び図４は、カード収容部１２０の構成を示す図である。カード収容部１２０は、図３及び図４に示したように、以下の特徴を有する。
【００２６】
カード収容部１２０は、図３及び図４に示したように、カードを横向きには収容できず縦向きに収容できるサイズであることを特徴とする。上述したように、紙幣収容部１１０の横幅は、一万円券の横幅１６０ｍｍ＋１０ｍｍ程度である。カードの横幅は８５．６０ｍｍであるため、カードを横向きに収容するように２列設けることはできない。一方、紙幣収容部１１０の縦幅は、一万円券の縦幅７６ｍｍ＋１０ｍｍ程度である。カードを縦向き収容することができるサイズである。
【００２７】
カード収容部１２０−２、１２０−３は、図３及び図４に示したように、二つ折り財布１００の幅方向に２列設けられる。クレジットカード等の短辺は５３．９８ｍｍで、紙幣の長辺は横１６０ｍｍであることから、カード収容部を幅方向に２つ設けても紙幣の横幅より小さい。このため、カードを縦向きに収容できる部分を幅方向に２つ設けることができ、二つ折り財布１００のサイズを大きくすることなく、多くのカードを収容することができる。
【００２８】
特にカード収容部１２０−２、１２０−３は、図３及び図４に示したように、紙幣収容部１１０の内側面１１０ａの裏側（外側面１１０ｂと対面する側）に設けられる。カードを収容したときに、内側面の裏側に隠しておけるため、カードの種類やカードに記載された情報を隠匿することができる。さらに、カードが入っていること自体を隠匿することができる。特に、カード収容部１２０−３については、小銭収容部１３０の裏側にあるというデザインは意外性が高い。
【００２９】
また、各カード収容部には、図３に示したように、カード間に仕切りを設けることなく複数のカード同士を重ねて収容できる。一般的な二つ折り財布では、カードを収容する部分には、収容できるカードの枚数に応じたポケットが設けられている。カード間にはポケットを構成する素材（仕切り）がある。本実施形態では、カード収容部１２０に複数のカード同士を重ねて収容でき、カード間の仕切りが無い。カード収容部１２０の厚みは、カードの厚み（０．７６ｍｍ）×枚数分とすることができる。カード間の仕切りを設けないことで、収容できるカードの枚数のわりに、二つ折り財布１００を薄くすることができる。
【００３０】
なお、本実施形態では、カード収容部１２０として、３つのカード収容部１２０−１〜１２０−３について説明したが、これらのいずれかは無くてもよい。３つのカード収容部１２０−１〜１２０−３があるか無いかで、７通りのデザインが考えられる。
【００３１】
（小銭収容部１３０）
小銭収容部１３０について、主に図５を参照しながら説明する。小銭収容部１３０は、図５に示したように、内側面１１０ａの表側（紙幣収容部１１０を開いたときに表に現れる側）に設けられている。小銭収容部１３０の上蓋１３０ａは、内側面１１０ａの幅方向（図５の符号Ｅ方向）に開く。すなわち、上蓋１３０ａは、カード収容部１２０−１が配置されている側に開く。
【００３２】
小銭収容部１３０に小銭を出し入れするときには、図５に示したように、小銭収容部１３０の上蓋１３０ａが上に開くような向きに持ち替える。そして、上蓋１３０ａの先端と紙幣収容部１１０の開放された側の端部とを持って開くと、上蓋１３０ａとともに紙幣収容部１１０を開くことができる。よって、紙幣や小銭の出し入れが楽である。本実施形態の二つ折り財布１００はコンパクトであるため、図５に示した使用状態では、あたかも専用の小銭入れのように扱うことができ、小銭収容部１３０としての機能が高い。
【００３３】
（第１の実施形態の効果）
以上説明したように、本実施形態によれば、二つ折り財布１００のサイズを紙幣のサイズ程度まで小さくすることができる。すなわち、紙幣収容部１１０の側方の一方と上方が開いており、紙幣収容部１１０の側方の一方を縫い付けていない。これにより、紙幣収容部１１０が大きく開くため、紙幣の出し入れがしやすくなる。また、紙幣の出し入れのための余裕が不要になり、最小のサイズにすることができる。そして、二つ折りしたときには、紙幣のサイズの半分程度にまで小さくすることができる。このようにして、従来の二つ折り財布よりもさらにコンパクトにすることが可能である。
【００３４】
また、カード収容部１２０−２、１２０−３を、紙幣収容部１１０の内側面１１０ａの裏側に設けられるようにしたので、カードを収容したときに、内側面１１０ａの裏側に隠しておける。このため、カードの種類やカードに記載された情報を隠匿することができる。さらに、カードが入っていること自体を隠匿することができる。
【００３５】
また、カード収容部１２０−２、１２０−３を、カードを縦向きに収容できる部分が幅方向に２つ設けられるようにしたので、二つ折り財布１００のサイズを大きくすることなく、多くのカードを収容することができる。
【００３６】
また、１つのカード収容部１２０には、カード間に仕切りを設けることなく複数のカード同士を重ねて収容できるようにしたので、カード間の仕切りを設けないことで、収容できるカードの枚数のわりに、二つ折り財布１００を薄くすることができる。
【００３７】
また、小銭収容部１３０の上蓋１３０ａが、紙幣収容部１１０の内側面１１０ａの幅方向に開くようにしたので、あたかも専用の小銭入れのように扱うことができる。
【００３８】
（第２の実施形態）
第２の実施形態にかかる二つ折り財布について説明する。本実施形態では、上記第１の実施形態と異なる点を中心に説明することとし、上記第１の実施形態と同様に構成することができる点については、重複説明を省略する。
【００３９】
本実施形態にかかる二つ折り財布は、上記第１の実施形態の二つ折り財布１００における小銭収容部１３０の部分も、カード収容部としたことを特徴とする。
【００４０】
（第２の実施形態の効果）
以上説明したように、本実施形態によれば、上記第１の実施形態の二つ折り財布１００よりも、さらにカードを多数収容できる。また、小銭収容部を設ける場合に比較して、二つ折り財布の全体を薄くすることができる。
【００４１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００４２】
例えば、上記第１の実施形態では、１つのカード収容部１２０に複数のカード同士を重ねて収容できることについて説明したが、本発明はこれに限定されない。一般的な二つ折り財布のように、カード間に仕切りを設けたり、カードをずらして収容できたりするようにしてもよい。上記第２の実施形態についても同様である。
【００４３】
また、上記第１の実施形態では、小銭収容部１３０の上蓋１３０ａが、内側面１１０ａの幅方向に開く構成について説明したが、本発明はこれに限定されない。小銭収容部の上蓋は、一般的な二つ折り財布のように、高さ方向に開くようにしてもよい。
【００４４】
また、上記第１の実施形態では、カード収容部１２０（１２０−１〜１２０−３）が紙幣収容部１１０の内側面１１０ａに設けられる構成について説明したが、本発明はこれに限定されない。カード収容部を紙幣収容部の外側面に設けるようにしてもよい。また、カード収容部を内側面と外側面の両方に設けるようにしてもよい。上記第２の実施形態についても同様である。
【００４５】
以上説明した実施形態、変更例及び応用例の内容は、適宜組み合わせて実施できる。
【符号の説明】
【００４６】
１００  二つ折り財布
１１０  紙幣収容部
１１０ａ  内側面
１１０ｂ  外側面
１２０（１２０−１〜１２０−３）  カード収容部
１３０  小銭収容部
１３０ａ  上蓋
【図１】
0006902228.tif 000002
【図２】
0006902228.tif 000003
【図３】
0006902228.tif 000004
【図４】
0006902228.tif 000005
【図５】
0006902228.tif 000006